(57)【要約】  長期間にわたって良好な潤滑状態を維持することが可能な直動案内装置を提供する。直動案内装置は、スライダ２のエンドキャップ（２Ｂ）とサイドシール（５）との間に、案内レール（１）の転動体軌道面（１０）に摺接して転動体軌道面（１０）に潤滑剤を供給する潤滑部材（３０）を備えている。潤滑部材（３０）は、転動体軌道面（１０）に対向して潤滑剤が滲出する潤滑剤供給部（３２）を備えている。この潤滑剤供給部（３２）は階段状に形成されており、転動体軌道面（１０）に接触する外端側部分（３２ａ）と、外端側部分（３２ａ）の内側に配され転動体軌道面（１０）から離れた位置で転動体軌道面（１０）に対向する中間部分（３２ｂ）と、中間部分（３２ｂ）の内側に配され中間部分（３２ｂ）よりも転動体軌道面（１０）から離れた位置で転動体軌道面（１０）に対向する内端側部分（３２ｃ）と、で構成されている。
2015098082.tif 000002
【特許請求の範囲】
【請求項１】
案内レールと、スライダと、複数の転動体と、を有し、
前記案内レール及び前記スライダは、互いに対向する位置に、前記転動体の転動通路を形成する軌道面をそれぞれ有し、
前記両軌道面は前記案内レールの長手方向に延び、
前記転動体は前記転動通路に配置され、
前記転動通路内での前記転動体の転動を介して、前記スライダが前記案内レールに案内されて前記長手方向に移動する直動案内装置において、
前記スライダは、その移動方向端部に、前記案内レールの外面に摺接して前記案内レールの外面に潤滑剤を供給する潤滑部材を備えており、
前記潤滑部材は、前記案内レールの外面に対向して前記潤滑剤が滲出する潤滑剤供給部を備え、この潤滑剤供給部は、前記案内レールの外面に接触する接触部と、前記案内レールの外面から離れた位置で前記案内レールの外面に対向する離間部と、を有することを特徴とする直動案内装置。
【請求項２】
前記接触部は、前記案内レールの外面と平行をなし且つ前記案内レールの外面に接触する平行面を有する請求項１に記載の直動案内装置。
【請求項３】
前記離間部は、前記案内レールの外面と平行をなし且つ前記接触部に対して段差を形成する少なくとも１つの平面を有する請求項１又は請求項２に記載の直動案内装置。
【請求項４】
前記離間部は、前記案内レールの外面に対して傾斜する傾斜面を有する請求項１又は請求項２に記載の直動案内装置。
【請求項５】
前記離間部は、前記接触部に設けられた凹部である請求項１又は請求項２に記載の直動案内装置。
【発明の詳細な説明】
【技術分野】
【０００１】
本発明は直動案内装置に関する。
【背景技術】
【０００２】
従来の直動案内装置には、潤滑剤を含有してその潤滑剤を転動体の軌道面に供給する潤滑部材を備えているものがある。例えば、特許文献１に開示された直動案内装置は、シール装置のシール部に潤滑剤を徐々に供給する潤滑部材が、シール装置とスライダの端部との間に取り付けられている。また、特許文献２に開示された直動案内装置は、案内レールの軌道面に摺接して潤滑剤を供給する潤滑部材が、スライダの軸方向の端部に取り付けられている。
【先行技術文献】
【特許文献】
【０００３】
【特許文献１】特許第４０６９２６２号公報
【特許文献２】特開２００５−２０７４９７号公報
【発明の概要】
【発明が解決しようとする課題】
【０００４】
しかしながら、潤滑部材は、軌道面との接触部から潤滑剤を徐々に滲み出させて軌道面に供給するが、十分な潤滑剤を保持している初期には短時間に多量の潤滑剤が滲み出るため、潤滑に必要な量よりも多い潤滑剤が軌道面に供給されるおそれがあった。そのため、保持している潤滑剤の量が短期間のうちに減少してしまうおそれがあった。
また、多量の潤滑剤を放出し残量が少なくなった段階では少量の潤滑剤しか滲み出なくなるため、潤滑に必要な量よりも少ない潤滑剤しか軌道面に供給されず、潤滑不足となるおそれがあった。よって、長期間にわたって良好な潤滑状態を維持することが困難であるという問題があった。
そこで、本発明は上記のような従来技術が有する問題点を解決し、長期間にわたって良好な潤滑状態を維持することが可能な直動案内装置を提供することを課題とする。
【課題を解決するための手段】
【０００５】
前記課題を解決するため、本発明の一態様に係る直動案内装置は、案内レールと、スライダと、複数の転動体と、を有し、前記案内レール及び前記スライダは、互いに対向する位置に、前記転動体の転動通路を形成する軌道面をそれぞれ有し、前記両軌道面は前記案内レールの長手方向に延び、前記転動体は前記転動通路に配置され、前記転動通路内での前記転動体の転動を介して、前記スライダが前記案内レールに案内されて前記長手方向に移動する直動案内装置において、前記スライダは、その移動方向端部に、前記案内レールの外面に摺接して前記案内レールの外面に潤滑剤を供給する潤滑部材を備えており、前記潤滑部材は、前記案内レールの外面に対向して前記潤滑剤が滲出する潤滑剤供給部を備え、この潤滑剤供給部は、前記案内レールの外面に接触する接触部と、前記案内レールの外面から離れた位置で前記案内レールの外面に対向する離間部と、を有することを特徴とする。【０００６】
この直動案内装置においては、前記接触部は、前記案内レールの外面と平行をなし且つ前記案内レールの外面に接触する平行面を有していてもよい。
また、この直動案内装置においては、前記離間部は、前記案内レールの外面と平行をなし且つ前記接触部に対して段差を形成する少なくとも１つの平面を有していてもよい。
さらに、この直動案内装置においては、前記離間部は、前記案内レールの外面に対して傾斜する傾斜面を有していてもよい。
さらに、この直動案内装置においては、前記離間部は、前記接触部に設けられた凹部であってもよい。
【発明の効果】
【０００７】
本発明の直動案内装置は、長期間にわたって良好な潤滑状態を維持することが可能である。
【図面の簡単な説明】
【０００８】
【図１】本発明に係る直動案内装置の一実施形態の構造を示す側面図である。
【図２】図１の直動案内装置を案内レールの長手方向の端部側から見た正面図及び断面図である。
【図３】潤滑部材及び潤滑部材容器を案内レールの長手方向の端部側から見た正面図である。
【図４】図３の潤滑部材のＡ−Ａ断面図である。
【図５】潤滑部材の摩耗と潤滑剤の滲出量との関係を説明する概念図である。
【図６】潤滑部材の変形例を示す図である。
【図７】潤滑部材の別の変形例を示す図である。
【図８】潤滑部材の別の変形例を示す図である。
【発明を実施するための形態】
【０００９】
本発明に係る直動案内装置の実施の形態を、図１〜４を参照しながら詳細に説明する。図２は、図１の直動案内装置を案内レールの長手方向の端部側から見た図であるが、中央より右側部分は正面図であり、左側部分は案内レールの長手方向に直交する平面で切断した場合の断面図である。
なお、これ以降の説明で参照する各図においては、同一又は相当する部分には同一の符号を付してある。また、これ以降の説明において「断面」と記した場合は、特に断りがない限り、案内レールの長手方向に直交する平面で切断した場合の断面を意味する。さらに、これ以降の説明における「上」，「下」，「左」，「右」等の方向を示す用語は、特に断りがない限り、説明の便宜上、図２におけるそれぞれの方向を意味するものである。
【００１０】
一直線状に延びる断面形状略四角形の案内レール１の上に、断面形状略Ｕ字状のスライダ２が、案内レール１の長手方向に移動可能に組み付けられている。
この案内レール１の左右両側面１ａ，１ａには、案内レール１の長手方向に延びる凹部がそれぞれ形成されている。そして、これら凹部内には、前記長手方向に延びる上下２つの傾斜平面が略Ｖ字状をなすようにそれぞれ形成されていて、左右合計４つの傾斜平面は、それぞれ転動体軌道面１０（本発明の構成要件である軌道面に相当する）を構成している。
また、スライダ２は、案内レール１の上面１ｂに沿う平板状の胴部７と、胴部７の左右両側部からそれぞれ下方に延び側面１ａに沿う２つの脚部６，６と、からなり、胴部７と脚部６，６とのなす角度は略直角であるため、スライダ２の断面形状は、案内レール１の上面１ｂ及び左右両側面１ａ，１ａに沿う略Ｕ字状をなしている。そして、スライダ２は、両脚部６，６の間に案内レール１を挟むようにして、案内レール１の上に移動可能に取り付けられている。
【００１１】
このようなスライダ２は、スライダ本体２Ａと、スライダ本体２Ａの両端部（スライダ２の移動方向の両端部）に着脱可能に取り付けられたエンドキャップ２Ｂ，２Ｂと、で構成されている。さらに、スライダ２の両端部（各エンドキャップ２Ｂの前記移動方向の外端面）には、スライダ２と略同様の断面形状に形成されたサイドシール５，５が装着されている。サイドシール５，５は、案内レール１の外面（上面１ｂ及び側面１ａ，１ａ）に摺接して、案内レール１とスライダ２との間の隙間の開口のうち前記移動方向の端部側に面する部分を密封するようになっている。
また、スライダ２の下部には、案内レール１とスライダ２との間の隙間の開口のうちスライダ２の下面側に面する部分を密封するアンダーシール（図示せず）が装着されている。これらサイドシール５，５及びアンダーシールにより、前記開口の全体が密封されるようになっていて、外部から前記隙間への異物の侵入や、前記隙間から外部への潤滑剤の漏出が防止されている。
【００１２】
さらに、スライダ本体２Ａの左右両脚部６，６の内側面には、前記長手方向に延びる断面略三角形状の凸部が、案内レール１に向かって突出するように形成されている。そして、それら凸部上には、前記長手方向に延びる上下２つの傾斜平面が略Ｖ字状をなすようにそれぞれ形成されていて、左右合計４つの傾斜平面は、それぞれ案内レール１の転動体軌道面１０，１０，１０，１０に対向する転動体軌道面１１，１１，１１，１１（本発明の構成要件である軌道面に相当する）を構成している。すなわち、案内レール１の転動体軌道面１０とスライダ２の転動体軌道面１１との数は同数である。
【００１３】
そして、案内レール１の転動体軌道面１０，１０，１０，１０とスライダ２の転動体軌道面１１，１１，１１，１１との間に、断面形状略矩形の転動体の転動通路１３，１３，１３，１３がそれぞれ形成されていて、これらの転動通路１３，１３，１３，１３は前記長手方向に延びている。この転動通路１３内には、転動体である複数の円筒ころ３が転動自在に装填されていて、これらの円筒ころ３の転動を介してスライダ２が案内レール１に案内されて前記長手方向に移動するようになっている。
さらに、スライダ２は、スライダ本体２Ａの左右両脚部６，６の肉厚部分の上部及び下部に、転動通路１３，１３，１３，１３と平行をなして前記長手方向に貫通する断面形状略矩形の直線孔からなる戻し通路１４，１４，１４，１４を備えている。例えば、両脚部６に形成された前記長手方向に延びる孔２０内に、円筒ころ３の形状に沿う断面形状の内面を有する管状部材２２を挿入すれば、この管状部材２２の内面で形成される直線孔により戻し通路１４が構成される。
【００１４】
一方、エンドキャップ２Ｂは、例えば樹脂材料の成形品からなり、スライダ本体２Ａと略同様の断面形状に形成されている。また、エンドキャップ２Ｂの裏面（スライダ本体２Ａとの当接面）の左右両側には、断面形状略矩形で半ドーナツ状の方向転換路（図示せず）が上下二段に形成されている。なお、この方向転換路の断面形状は、方向転換路の連続方向に直交する平面で切断した場合の断面形状である。
このエンドキャップ２Ｂをスライダ本体２Ａに取り付けると、方向転換路によって転動通路１３と戻し通路１４とが連通される。これら戻し通路１４と両端の方向転換路とで、円筒ころ３を転動通路１３の終点から始点へ送る転動体戻し路が構成され（転動体戻し路は転動通路１３と同数設けられている）、転動通路１３と前記転動体戻し路とで、略環状の循環経路が構成される。そして、この略環状の循環経路は、案内レール１を挟んで左右両側に形成される。
【００１５】
案内レール１に組みつけられたスライダ２が案内レール１に沿って前記長手方向に移動すると、転動通路１３内に装填されている円筒ころ３は、転動通路１３内を転動しつつ案内レール１に対してスライダ２と同方向に移動する。そして、円筒ころ３が転動通路１３の終点に達すると、転動通路１３からすくい上げられ方向転換路へ送られる。方向転換路に入った円筒ころ３はＵターンして戻し通路１４に導入され、戻し通路１４を通って反対側の方向転換路に至る。円筒ころ３は、ここで再びＵターンして転動通路１３の始点に戻り、このような循環経路内の循環を無限に繰り返す。
【００１６】
この直動案内装置は、案内レール１の転動体軌道面１０に摺接して転動体軌道面１０に潤滑剤を供給する潤滑部材３０を備えている。潤滑部材３０は、スライダ２の前記移動方向の両端部、例えばエンドキャップ２Ｂとサイドシール５との間に配されている。なお、潤滑部材３０は、転動体軌道面１０のみに摺接するようにしてもよいが、転動体軌道面１０以外の案内レール１の外面（側面１ａや上面１ｂ）に摺接するようにしてもよい。例えば、転動体軌道面１０を含む案内レール１の外面に摺接するようにしてもよいし、潤滑部材３０から放出された潤滑剤が転動体軌道面１０に供給されるならば転動体軌道面１０を除く案内レール１の外面に摺接するようにしてもよい。
【００１７】
潤滑部材３０は、例えば、潤滑剤を含有するフェルト、樹脂成形体、多孔質体からなり、スライダ２と略同様の形状（断面略Ｕ字状）に形成されている。そして、樹脂、金属等で構成され、スライダ２と略同様の形状（断面略Ｕ字状）に形成された潤滑部材容器３１に収容された状態で、スライダ２に取り付けられている。
断面略Ｕ字状の潤滑部材３０の内側面には、案内レール１の転動体軌道面１０に対向して潤滑剤が滲出する潤滑剤供給部３２が形成されており、潤滑剤供給部３２から放出された潤滑剤が転動体軌道面１０に供給されて、被潤滑部である転動体軌道面１０が潤滑されるようになっている。この潤滑剤は、スライダ２の移動に伴って転動体軌道面１０から転動体軌道面１１、円筒ころ３等の他の被潤滑部に伝わっていき、潤滑に供される。
【００１８】
潤滑剤の種類は特に限定されるものではないが、一般的な潤滑油やグリースを使用可能である。
また、潤滑部材３０を構成するフェルトの材料としては、例えば、羊毛、アラミド繊維、ナイロン繊維、ガラス繊維、セルロース繊維、ポリエステル繊維、ポリエーテル繊維、ポリオレフィン繊維（例えばポリエチレン繊維、ポリプロピレン繊維）、レーヨン繊維があげられる。
さらに、樹脂成形体や多孔質体を構成する樹脂としては、例えば、ポリオレフィン（例えばポリエチレン、ポリプロピレン）、アラミド、ナイロン、ポリエステル、ポリエーテルがあげられる。
【００１９】
次に、潤滑部材３０の内側面に形成されている潤滑剤供給部３２について詳細に説明する。転動体軌道面１０に対向する潤滑剤供給部３２の形状は、図４に示すように、階段状に形成されている。すなわち、潤滑剤供給部３２の前記移動方向の外端側の部分３２ａが、案内レール１に向かって内方に最も突出しており、転動体軌道面１０に接触している。この転動体軌道面１０と接触する外端側部分３２ａの接触面４１は、転動体軌道面１０と平行をなす平行面となっている。
この外端側部分３２ａの前記移動方向の内側には、転動体軌道面１０から離れた位置で転動体軌道面１０に対向する中間部分３２ｂが配されている。この中間部分３２ｂの転動体軌道面１０に対向する対向面４２は、転動体軌道面１０と平行をなす平行面となっている。
【００２０】
さらに、中間部分３２ｂの前記移動方向の内側には、中間部分３２ｂよりも転動体軌道面１０から離れた位置で転動体軌道面１０に対向する内端側部分３２ｃが配されている。この内端側部分３２ｃの転動体軌道面１０に対向する対向面４２は、転動体軌道面１０と平行をなす平行面となっている。
このように、潤滑剤供給部３２は、転動体軌道面１０と平行をなす３つの平面４１，４２，４２を有して階段状に形成されており、中間部分３２ｂは外端側部分３２ａに対して段差を形成し、内端側部分３２ｃは中間部分３２ｂに対して段差を形成している。
転動体軌道面１０と接触する外端側部分３２ａが、本発明の構成要件である接触部に相当し、転動体軌道面１０から離れた位置で転動体軌道面１０に対向する中間部分３２ｂ及び内端側部分３２ｃが、本発明の構成要件である離間部に相当する。
【００２１】
なお、本実施形態においては、潤滑剤供給部３２は、転動体軌道面１０と平行をなす３つの平面４１，４２，４２を有して、２つの段差を有する形状をなしていたが、２つ又は４つ以上の平面を有して、１つ又は３つ以上の段差を有する形状をなしていてもよい。
また、本実施形態においては、外端側部分３２ａの側面と中間部分３２ｂの平面４２、及び、中間部分３２ｂの側面と内端側部分３２ｃの平面４２は、いずれも直角に交差し、該交差により形成される隅部が角形であったが、前記交差により形成される隅部に面取り又は丸み付け（日本工業規格ＪＩＳ  Ｂ０７０１に規定のもの）を施してもよい。これにより、潤滑剤供給部３２と案内レール１の転動体軌道面１０との摺接時に隅部への応力集中が緩和される。
【００２２】
直動案内装置の使用初期には、潤滑剤供給部３２の外端側部分３２ａが転動体軌道面１０と接触しており、中間部分３２ｂ及び内端側部分３２ｃは転動体軌道面１０と非接触となっている。スライダ２が移動すると、潤滑剤供給部３２の外端側部分３２ａが転動体軌道面１０と摺接するので、毛細管現象により潤滑剤供給部３２の外端側部分３２ａから潤滑剤が滲み出て転動体軌道面１０に供給される。転動体軌道面１０と非接触となっている中間部分３２ｂ及び内端側部分３２ｃからは、潤滑剤は滲み出ない。
直動案内装置の使用初期においては潤滑部材３０は多量の潤滑剤を保持しているため、潤滑部材３０からの潤滑剤の単位面積当たりの滲出速度が大きく、過剰量の潤滑剤が転動体軌道面１０に供給されやすいが、本実施形態においては潤滑部材３０と転動体軌道面１０との接触面積が小さいので、潤滑剤供給部３２から供給される潤滑剤の量が制御され、潤滑に必要十分な適量の潤滑剤が転動体軌道面１０に供給されることとなる（図５の（ａ）を参照）。
【００２３】
直動案内装置を使用するに従って、転動体軌道面１０との摺接により外端側部分３２ａが摩滅する。潤滑部材容器３１は弾性を有していて、潤滑部材３０の上部を左右方向中央部から左右方向外側に押し広げるようになっており、その作用によって潤滑部材３０の下部の潤滑剤供給部３２が案内レール１の側面１ａに左右両側から押しつけられるようになっている（図３の矢印を参照）。
したがって、潤滑剤供給部３２の外端側部分３２ａは、摩滅しても転動体軌道面１０に押しつけられるので、直動案内装置を使用するに従ってさらに摩滅していく。そして、外端側部分３２ａの摩滅が進行すると外端側部分３２ａと中間部分３２ｂが同一平面状となり（図５の（ｂ）を参照）、中間部分３２ｂも転動体軌道面１０に接触（摺接）することとなり、中間部分３２ｂからも潤滑剤が滲み出る。
【００２４】
すると、潤滑部材３０と転動体軌道面１０との接触面積が大きくなるので、潤滑部材３０から潤滑剤が滲み出しやすくなるが、中間部分３２ｂが転動体軌道面１０に接触する頃には潤滑部材３０が保持する潤滑剤の量は直動案内装置の使用初期に比べて減少しているので、潤滑部材３０からの潤滑剤の単位面積当たりの滲出速度が低下している。よって、接触面積の増大が相殺されて、潤滑剤供給部３２から供給される潤滑剤の量に大きな変化は生じず、潤滑に必要十分な適量の潤滑剤が転動体軌道面１０に供給される状態が維持される（図５の（ｂ）を参照）。
【００２５】
そして、さらに直動案内装置を使用すると、転動体軌道面１０との摺接により外端側部分３２ａ及び中間部分３２ｂの摩滅が進行し、内端側部分３２ｃが外端側部分３２ａ及び中間部分３２ｂと同一平面状となり（図５の（ｃ）を参照）、内端側部分３２ｃも転動体軌道面１０に接触（摺接）することとなる。
すると、潤滑部材３０と転動体軌道面１０との接触面積がさらに大きくなるので、潤滑部材３０から潤滑剤がさらに滲み出しやすくなるが、内端側部分３２ｃが転動体軌道面１０に接触する頃には潤滑部材３０が保持する潤滑剤の量は少量となっているので、潤滑部材３０からの潤滑剤の単位面積当たりの滲出速度は小さくなっている。よって、接触面積の増大が相殺されて、潤滑剤供給部３２から供給される潤滑剤の量に大きな変化は生じず、潤滑に必要十分な適量の潤滑剤が転動体軌道面１０に供給される状態が維持される（図５の（ｃ）を参照）。
【００２６】
このように、直動案内装置の使用時間の経過に伴って、潤滑部材３０が保持する潤滑剤の量が減少すると共に潤滑部材３０の潤滑剤供給部３２と転動体軌道面１０との接触面積が増大するようになっている。そのため、潤滑剤供給部３２から転動体軌道面１０に供給される潤滑剤の量が適正に調整され、潤滑に必要十分な適量に維持される。また、潤滑部材３０から過剰な潤滑剤が放出されることがないので、潤滑部材３０に保持している潤滑剤の量が短期間のうちに枯渇してしまうおそれがない。よって、本実施形態の直動案内装置は、長期間にわたって良好な潤滑状態が維持される。このような本実施形態の直動案内装置は、例えば射出成形機，工作機械に好適に使用することができる。
【００２７】
なお、本実施形態は本発明の一例を示したものであって、本発明は本実施形態に限定されるものではない。例えば、本実施形態においては、階段状に形成された潤滑剤供給部３２は図４に示すように一体的な部材からなるが、複数の部材からなっていてもよい。すなわち、図６に示すように、板状部材を積層することによって潤滑剤供給部３２を構成してもよい。
また、潤滑剤供給部３２の形状は、図７に示すようなものでもよい。すなわち、潤滑剤供給部３２の前記移動方向の外端側の部分３２ａが、案内レール１に向かって内方に最も突出しており、転動体軌道面１０に接触している。この転動体軌道面１０と接触する外端側部分３２ａの接触面は、転動体軌道面１０と平行をなす平行面となっている。
【００２８】
そして、外端側部分３２ａの前記移動方向の内側には、転動体軌道面１０から離れた位置で転動体軌道面１０に対向する内端側部分３２ｃが配されている。この内端側部分３２ｃの転動体軌道面１０に対向する対向面は、転動体軌道面１０に対して傾斜する傾斜面となっている。この傾斜面は、外端側部分３２ａに隣接する部分が転動体軌道面１０に最も近く、外端側部分３２ａから前記移動方向に遠ざかるに従って転動体軌道面１０から離れるように傾斜している。なお、この傾斜面は平面に限らず曲面でもよい。また、図６の場合と同様に、外端側部分３２ａと内端側部分３２ｃを別部材としてもよい。
転動体軌道面１０との摺接によって外端側部分３２ａが摩滅すると、すぐに内端側部分３２ｃの摩滅が始まり、内端側部分３２ｃが摩滅するに従って潤滑部材３０と転動体軌道面１０との接触面積が徐々に大きくなっていく。
なお、転動体軌道面１０と接触する外端側部分３２ａが、本発明の構成要件である接触部に相当し、転動体軌道面１０から離れた位置で転動体軌道面１０に対向する内端側部分３２ｃが、本発明の構成要件である離間部に相当する。
【００２９】
さらに、潤滑剤供給部３２の形状は、図８に示すようなものでもよい。すなわち、潤滑剤供給部３２は、転動体軌道面１０と接触し転動体軌道面１０と平行をなす平行面４４を備えており、この平行面４４に１つ以上（図８の例では２つ）の凹部３２ｅが形成されている。凹部３２ｅの開口部の形状は特に限定されるものではなく、例えば円形、楕円形、多角形（三角形、四角形等）とすることができる。また、凹部３２ｅの底面は、図８のように転動体軌道面１０と平行をなす平行面としてもよいし、凹面としてもよい。さらに、凹部３２ｅの形状は、図８のように柱体状（例えば円柱状、角柱状）であってもよいが、錐体状（例えば円錐状、角錐状）であってもよいし、半球状であってもよい。
さらに、凹部３２ｅの形状が柱体状である場合には、凹部３２ｅの内側面と底面は直角に交差し、該交差により形成される隅部が角形であったが、前記交差により形成される隅部に面取り又は丸み付け（日本工業規格ＪＩＳ  Ｂ０７０１に規定のもの）を施してもよい。これにより、潤滑剤供給部３２と案内レール１の転動体軌道面１０との摺接時に隅部への応力集中が緩和される。
【００３０】
直動案内装置を使用すると、転動体軌道面１０との摺接によって、転動体軌道面１０と接触する平行面４４を有する部分３２ｄの摩滅が進行し、凹部３２ｅの底面が転動体軌道面１０と接触する平行面４４を有する部分３２ｄと同一平面状となり、凹部３２ｅの底面も転動体軌道面１０に接触（摺接）することとなる。これにより、潤滑部材３０と転動体軌道面１０との接触面積が大きくなる。
なお、転動体軌道面１０と接触する平行面４４を有する部分３２ｄが、本発明の構成要件である接触部に相当し、転動体軌道面１０から離れた位置で転動体軌道面１０に対向する凹部３２ｅが、本発明の構成要件である離間部に相当する。
また、ころの種類は円筒ころに限定されるものではなく、円すいころ，針状ころ等の他種のころも使用可能である。また、転動体はころに限定されるものではなく、ボールであってもよい。転動体がボールである場合には、転動体軌道面１０，１１は平面ではなく断面略円弧状又は断面略Ｖ字状の溝面からなり、転動通路１３は断面形状略円形となる。
【００３１】
さらに、転動体がころである場合は、案内レール１及びスライダ２が備える転動体軌道面１０，１１の数は、それぞれ複数であればよく、片側二列に限らず片側三列などであってもよい。また、転動体がボールである場合は、案内レール１及びスライダ２が備える転動体軌道面１０，１１の数は、それぞれ単数（片側一列）でもよいし複数（片側二列以上）でもよい。
さらに、軸方向に延びる断面形状略Ｕ字状の案内レールの内側に、断面形状略四角形のスライダが軸方向に移動可能に組み付けられているタイプの直動案内装置に対しても、本発明を適用することができる。
【符号の説明】
【００３２】
１        案内レール
１ａ      側面
１ｂ      上面
２        スライダ
３        円筒ころ
１０        転動体軌道面
１１        転動体軌道面
１３        転動通路
３０        潤滑部材
３２        潤滑剤供給部
３２ａ      外端側部分
３２ｂ      中間部分
３２ｃ      内端側部分
３２ｄ      転動体軌道面と接触する平行面を有する部分
３２ｅ      凹部
４４        平行面
【図１】
2015098082.tif 000003
【図２】
2015098082.tif 000004
【図３】
2015098082.tif 000005
【図４】
2015098082.tif 000006
【図５】
2015098082.tif 000007
【図６】
2015098082.tif 000008
【図７】
2015098082.tif 000009
【図８】
2015098082.tif 000010
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
案内レールと、スライダと、複数の転動体と、を有し、
前記案内レール及び前記スライダは、互いに対向する位置に、前記転動体の転動通路を形成する軌道面をそれぞれ有し、
前記両軌道面は前記案内レールの長手方向に延び、
前記転動体は前記転動通路に配置され、
前記転動通路内での前記転動体の転動を介して、前記スライダが前記案内レールに案内されて前記長手方向に移動する直動案内装置において、
前記スライダは、その移動方向端部に、前記案内レールの外面に摺接して前記案内レールの外面に潤滑剤を供給する潤滑部材を備えており、
前記潤滑部材は、前記案内レールの外面に対向して前記潤滑剤が滲出する潤滑剤供給部を備え、この潤滑剤供給部は、前記案内レールの外面に接触する接触部と、前記案内レールの外面から離れた位置で前記案内レールの外面に対向する離間部と、を有し、
前記離間部は、前記案内レールの外面に対して傾斜する傾斜面を有し、
前記潤滑剤供給部の前記移動方向の外端側の部分が、前記案内レールに向かって最も突出して、前記接触部をなしていることを特徴とする直動案内装置。
【請求項２】
案内レールと、スライダと、複数の転動体と、を有し、
前記案内レール及び前記スライダは、互いに対向する位置に、前記転動体の転動通路を形成する軌道面をそれぞれ有し、
前記両軌道面は前記案内レールの長手方向に延び、
前記転動体は前記転動通路に配置され、
前記転動通路内での前記転動体の転動を介して、前記スライダが前記案内レールに案内されて前記長手方向に移動する直動案内装置において、
前記スライダは、その移動方向端部に、前記案内レールの外面に摺接して前記案内レールの外面に潤滑剤を供給する潤滑部材を備えており、
前記潤滑部材は、前記案内レールの外面に対向して前記潤滑剤が滲出する潤滑剤供給部を備え、この潤滑剤供給部は、前記案内レールの外面に接触する接触部と、前記案内レールの外面から離れた位置で前記案内レールの外面に対向する離間部と、を有し、
前記離間部は、前記案内レールの外面と平行をなし且つ前記接触部に対して段差を形成する少なくとも１つの平面を有する直動案内装置。
【請求項３】
案内レールと、スライダと、複数の転動体と、を有し、
前記案内レール及び前記スライダは、互いに対向する位置に、前記転動体の転動通路を形成する軌道面をそれぞれ有し、
前記両軌道面は前記案内レールの長手方向に延び、
前記転動体は前記転動通路に配置され、
前記転動通路内での前記転動体の転動を介して、前記スライダが前記案内レールに案内されて前記長手方向に移動する直動案内装置において、
前記スライダは、その移動方向端部に、前記案内レールの外面に摺接して前記案内レールの外面に潤滑剤を供給する潤滑部材を備えており、
前記潤滑部材は、前記案内レールの外面に対向して前記潤滑剤が滲出する潤滑剤供給部を備え、この潤滑剤供給部は、前記案内レールの外面に接触する接触部と、前記案内レールの外面から離れた位置で前記案内レールの外面に対向する離間部と、を有し、
前記離間部は、前記接触部に設けられた凹部である直動案内装置。
【請求項４】
前記接触部は、前記案内レールの外面と平行をなし且つ前記案内レールの外面に接触する平行面を有する請求項１〜３のいずれか一項に記載の直動案内装置。
【国際調査報告】
2015098082.tif 000011
2015098082.tif 000012
2015098082.tif 000013
2015098082.tif 000014